(57)【要約】【課題】装置サイズを小型化することができ、しかも装置デザインの自由度を確保することができる空調用操作装置を提供する。【解決手段】空調用操作装置３に設けられたダイヤル５の先端に、ダイヤルギア１５を設ける。空調用操作装置３に、ケース１２に対してスライド移動可能な切換スイッチ６を設け、この切換スイッチ６に設けられた切換ギア１９をダイヤルギア１５に噛み合わせ、ダイヤル５の回動操作時に切換スイッチ６を連れ回り可能とする。切換スイッチ６の先端に連結ギア２０を設け、切換スイッチ６をスライド移動することにより、連結ギア２０をプーリ２１〜２３の各ギアに選択的に噛み合わせる。これにより、３つのプーリ２１〜２３のうち、連結ギア２０が噛み合ったギアのプーリが回動可能となり、１つのギアで複数の空調機能を操作することが可能となる。【選択図】図３
2008120208.tif 000002
【特許請求の範囲】
【請求項１】
空調機能ごとに設けられたプーリが回されると、当該プーリに対応したエア経路上に存在する開閉体の開閉状態が変わり、これにより室内に送られるエアの送風状態を切り換え、室内の空気環境を調整する空調装置の操作パネルとして機能する空調用操作装置において、
前記プーリごとに設けられ、外周に複数の歯を有する従動ギアと、
配置位置が複数位置の間で変更可能であり、その選択位置の変更操作を行った際に、自身の回動ギアが前記従動ギアの何れかに選択的に噛み合うことにより、その選択された前記従動ギアが回動可能となって、複数の前記空調機能のうちの１機能の選択又は設定操作が可能となる操作手段と
を備えたことを特徴とする空調用操作装置。
【請求項２】
前記操作手段に設けられた第２回動ギアと、
前記第２回動ギアに噛み合う主動ギアを有し、自身が回動操作された際には、前記主動ギア及び前記第２回動ギアを介して自身の回動運動が前記操作手段に伝達され、前記操作手段が回動することにより、前記選択又は設定操作を行うことが可能な第２操作手段と
を備えたことを特徴とする請求項１に記載の空調用操作装置。
【請求項３】
前記操作手段は、前記回動ギアを支持する軸部の軸方向に沿ってスライド移動可能であり、当該スライド移動によって前記選択位置が変更されることにより、前記従動ギアとの噛み合いが選択的に変わり、これによって前記第２操作手段で選択又は設定可能な前記空調機能を切り換えることを特徴とする請求項２に記載の空調用操作装置。
【請求項４】
前記操作手段において前記選択位置の変更がなされた際に、当該操作手段を前記選択位置で保持する保持手段を備えたことを特徴とする請求項１〜３のうちいずれか一項に記載の空調用操作装置。
【請求項５】
前記空調機能においてその各機能がどの選択状態又は設定状態にあるのかを表示する表示手段を備えたことを特徴とする請求項１〜４のうちいずれか一項に記載の空調用操作装置。
【請求項６】
複数の前記プーリのうちの少なくとも２つは、その回動軸が異なる軸上に配置されていることを特徴とする請求項１〜５のうちいずれか一項に記載の空調用操作装置。
【発明の詳細な説明】
【技術分野】
【０００１】
本発明は、空調装置のエアの吹き出し口選択、温度調節、内外気選択またはブロア選択などの各機能を作動させる際に操作する空調用操作装置に関する。
【背景技術】
【０００２】
従来、車両には、車内の空気状態を調整して車内環境の快適性を確保する車両用空調装置が設けられている。車両のセンタークラスターには、この空調装置を作動させる際に操作する空調用操作装置が設けられている。この種の空調用操作装置は、例えば特許文献１，２等に開示されている。この空調用操作装置においては、その操作パネルに設けられた送風モード選択用のダイヤルを操作することによってエアの吹出口を切り換えたり、同じく操作パネルに設けられた温度調節用のダイヤルを操作することによってエアの送風温度を調節したりする。
【特許文献１】特開平９−１１５３７７号公報
【特許文献２】特開２００３−５４２４５号公報
【発明の開示】
【発明が解決しようとする課題】
【０００３】
しかし、この種の空調用操作装置においては、送風モード選択、温度調節、内外気選択、ブロア選択等の各種空調機能で各々個別のダイヤル（レバーも含む）が存在する。従って、各種機能の数だけダイヤル（レバー）を空調用操作装置に設ける必要があり、その分だけ部品配置スペースを要することから、空調用操作装置の小型化に支障を来していた。特に、近年の車両は様々な機能を搭載することから、それらの操作系を配置するスペースが必要となるため、センタークラスターにおける操作系の配置スペースを有効的に使用する必要があった。
【０００４】
また、近年の車両においては、多機能化に伴ってそれらの操作系を配置するスペースをセンタークラスターに設けた場合、センタークラスターにおいて空調用操作装置の配置スペースに限りが出たり、配置スペースの形状に制限が出てきたりする場合も考えられる。従って、これら問題を回避するために、空調用操作装置のデザイン面の観点から、空調用操作装置のデザインに自由度を持たせることにより、空調用操作装置を車体に組み付ける際の組付性（搭載性）の向上を確保する必要もある。
【０００５】
本発明の目的は、装置サイズを小型化することができ、しかも装置デザインの自由度を確保することができる空調用操作装置を提供することにある。
【課題を解決するための手段】
【０００６】
前記問題点を解決するために、本発明では、空調機能ごとに設けられたプーリが回されると、当該プーリに対応したエア経路上に存在する開閉体の開閉状態が変わり、これにより室内に送られるエアの送風状態を切り換え、室内の空気環境を調整する空調装置の操作パネルとして機能する空調用操作装置において、前記プーリごとに設けられ、外周に複数の歯を有する従動ギアと、配置位置が複数位置の間で変更可能であり、その選択位置の変更操作を行った際に、自身の回動ギアが前記従動ギアの何れかに選択的に噛み合うことにより、その選択された前記従動ギアが回動可能となって、複数の前記空調機能のうちの１機能の選択又は設定操作が可能となる操作手段とを備えたことを要旨とする。
【０００７】
この構成によれば、室内の空気環境を調整する際、操作手段を位置変更操作することにより、この操作手段に設けられた回動ギアを、操作者が作動させたい空調機能に対応したプーリの従動ギアに選択的に噛み合わせる。この状態で、例えば操作手段を選択又は設定操作すると、その際に操作手段に生じる駆動力が、その時の操作手段の回動ギアに噛み合った従動ギアに伝達され、その従動ギアに連結されたプーリが回る。これにより、操作手段で選択又は設定操作された空調機能が作動する状態となり、操作者の意図に基づく状態に室内の空気環境が調整される。
【０００８】
従って、本発明においては、空調機能の選択又は設定操作の際に用いる操作系として操作手段を用いた場合、この操作手段が複数のプーリで共用されることになり、空調機能ごとに操作系を用意する必要がなくなる。よって、プーリごとに操作系が存在する場合に比べて、この種の操作系の個数を減らすことが可能となり、これに伴い装置サイズを小型化することが可能となる。
【０００９】
また、外周に歯を有する従動ギアを用い、これに操作手段の回動ギアを噛み合わせる構造であるので、これらギアは互いに外周同士で歯が噛み合った取り付け状態をとる。このように、回動ギアの回動軸と従動ギアの回動軸とが異なる軸心上に配置されるようにすれば、例えば回動ギアと従動ギアとが同軸上に位置する場合に比べて従動ギア（プーリも含む）の配置位置の自由度が高くなり、装置デザインの自由度が向上する。これにより、プーリを空調用操作装置のケースに組み付ける際のその組付自由度や、空調用操作装置の搭載性向上にも効果がある。
【００１０】
本発明では、前記操作手段に設けられた第２回動ギアと、前記第２回動ギアに噛み合う主動ギアを有し、自身が回動操作された際には、前記主動ギア及び前記第２回動ギアを介して自身の回動運動が前記操作手段に伝達され、前記操作手段が回動することにより、前記選択又は設定操作を行うことが可能な第２操作手段とを備えたことを要旨とする。
【００１１】
この構成によれば、第２操作手段を例えば回動操作し易い形状とすることにより、この第２操作手段を機能の選択又は設定操作用の操作系として用いるようにすれば、空調機能において選択又は設定操作を行う際の操作性向上に効果がある。
【００１２】
本発明では、前記操作手段は、前記回動ギアを支持する軸部の軸方向に沿ってスライド移動可能であり、当該スライド移動によって前記選択位置が変更されることにより、前記従動ギアとの噛み合いが選択的に変わり、これによって前記第２操作手段で選択又は設定可能な前記空調機能を切り換えることを要旨とする。
【００１３】
この構成によれば、操作手段をスライド移動させるという簡単な構造により、操作手段の回動ギアと、プーリの従動ギアとの噛み合い状態を選択的に切り換えることが可能となる。
【００１４】
本発明では、前記操作手段において前記選択位置の変更がなされた際に、当該操作手段を前記選択位置で保持する保持手段を備えたことを要旨とする。
この構成によれば、空調機能選択時において位置決めされた操作手段は、保持手段によってその位置が保持された状態となるので、位置決めした後の操作手段が、その位置決めされた位置からずれてしまうような状況を生じ難くすることが可能となる。
【００１５】
本発明では、前記空調機能においてその各機能がどの選択状態又は設定状態にあるのかを表示する表示手段を備えたことを要旨とする。
この構成によれば、この表示手段の表示状態を見れば、各空調機能において各々の機能がどのような選択状態又は設定状態にあるのかを操作者に通知することが可能となり、利便性向上に効果が高い。
【００１６】
本発明では、複数の前記プーリのうちの少なくとも２つは、その回動軸が異なる軸上に配置されていることを要旨とする。
この構成によれば、複数あるプーリのうち少なくとも２つのプーリを、その回転軸が異軸となるような箇所に配置している。よって、プーリを空調用操作装置のケースに取り付ける際のその取付部分をケースに設けるにあたって、ケースを複雑で込み入ったデザイン形状とする必要が生じ難くなり、ケースを簡素な簡単な構造のもので済ますことが可能となる。
【発明の効果】
【００１７】
本発明によれば、空調用操作装置の装置サイズを小型化することができる。
【発明を実施するための最良の形態】
【００１８】
以下、本発明を具体化した空調用操作装置の一実施形態を図１〜図５に従って説明する。
図１に示すように、車両には、車内の空気状態を調整する車両用空調装置１が搭載されている。この車両用空調装置１には、車内へのエアの吹出口を切り換える送風モード選択機能、エアの送風温度を調節する温度調節機能、内外気を切り換える内外気選択機能、エアの送風強さを切り換えるブロア選択機能などがある。車両用空調装置１は、車内に設けられた複数のフェイス吹出口やフット吹出口のうち、その時の送風モードに応じた吹出口から、操作者によって設定された設定温度でエアを吹き出すことにより、車内の空気環境を調整して車内の快適性を確保する。
【００１９】
図２に示すように、車内のセンタークラスター２には、車両用空調装置１を作動させる際に操作する空調用操作装置３が設けられている。空調用操作装置３の操作パネル４には、同パネル４に対し相対回動可能な状態でダイヤル５が設けられている。本例のダイヤル５は、送風モード選択機能、温度調節機能及び内外気選択機能の全ての機能間で共用される。即ち、エアの送風モードを選択する場合、送風温度を調節する場合、内外気を設定する場合の何れにおいてもダイヤル５が使用され、そのダイヤルノブ５ａを摘んでダイヤル５を回動操作することにより、各種モード或いは設定値が設定される。なお、ダイヤル５が第２操作手段に相当する。
【００２０】
操作パネル４においてダイヤル５の近傍には、操作パネル４に対してスライド移動及び相対回動可能な切換スイッチ６が設けられている。この切換スイッチ６は、ダイヤル５をどの空調機能（送風モード選択機能、温度調節機能、内外気切換機能）のノブとして使用するかを切り換える際に操作するスイッチである。本例の切換スイッチ６には、同スイッチ６をスライド操作する際に指で摘むスイッチノブ６ａが形成され、このスイッチノブ６ａは、手で摘む部位が他部位よりも大径となるように形成されている。
【００２１】
本例の切換スイッチ６においては、そのスイッチノブ６ａを摘んで３つの選択位置にスライド操作可能であり、切換スイッチ６を最も手前に引き出すと、切換スイッチ６が送風モード選択位置に位置し、ダイヤル５で送風モードが選択可能となる。また、切換スイッチ６を送風モード選択位置から１段階奥に押し込むと、切換スイッチ６が温度設定位置に位置し、ダイヤル５で温度設定が可能となり、切換スイッチ６を温度設定位置から更に１段階奥に押し込むと、切換スイッチ６が内外気選択位置に位置し、ダイヤル５で内外気を切り換えることが可能となる。なお、切換スイッチ６が操作手段に相当する。
【００２２】
操作パネル４には、ダイヤル５の回動操作によって選択された送風モードが何であるかを表示する送風モード表示部７が設けられている。送風モード表示部７は、例えば半透明樹脂から成る複数の点灯部７ａを送風モードごとに有し、これら点灯部７ａのうちその時に選択された送風モードに対応するものが、裏面からＬＥＤ等の光源で照らされることにより点灯状態となる。
【００２３】
操作パネル４には、ダイヤル５の回動操作によって設定されたエアの送風温度を表示する設定温度表示部８が設けられている。設定温度表示部８は、例えば半透明樹脂から成る略円弧状の表示バー８ａを有し、この表示バー８ａにおいて、その時に設定されたエアの送風温度に対応する箇所が、裏面からＬＥＤ等の光源で照らされることにより点灯状態となる。
【００２４】
操作パネル４には、ダイヤルノブ５ａの回動操作によって内気及び外気のどちらが選択されたかを表示する内外気表示部９が設けられている。内外気表示部９は、例えば半透明樹脂から成る２つの点灯部９ａを有し、これら２つの点灯部９ａのうちその時に選択された側が、裏面からＬＥＤ等の光源で照らされることにより点灯状態となる。なお、送風モード表示部７、設定温度表示部８及び内外気表示部９が表示手段を構成する。
【００２５】
図３に示すように、空調用操作装置３には、前面が操作パネル４として機能するアッパーケース１０と、そのアッパーケース１０と対を成すロアケース１１とを、互いの開口部分を向き合わせてその部分を閉じるように組み付けることにより形成されたケース１２が設けられている。このケース１２の内部空間には、空調用操作装置３の各種部品が収容されている。
【００２６】
図３及び図４に示すように、アッパーケース１０には、ダイヤルノブ５ａに対応する位置に第１凹部１３が形成され、この第１凹部１３にダイヤルノブ５ａが収容された取り付け状態をとっている。第１凹部１３の底壁中央には、ダイヤル５の軸部５ｂに応じた径の挿通孔１４が貫設されるとともに、この挿通孔１４にダイヤル５の軸部５ｂが相対回動可能な状態で挿通されている。この軸部５ｂは、ダイヤルノブ５ａと同一軸心上に位置するとともに、ケース１２の内部に位置した配置状態をとっている。この軸部５ｂの先端には、略円板形状のダイヤルギア１５が一体回動可能に設けられている。アッパーケース１０の内面には、軸部５ｂを回動可能に支持する円筒状の支持部１６が延設されている。なお、ダイヤルギア１５が主動ギアに相当する。
【００２７】
アッパーケース１０には、切換スイッチ６と相対する位置に第２凹部１７が形成され、この第２凹部１７に切換スイッチ６のスイッチノブ６ａが収容可能となっている。第２凹部１７の底壁中央には、切換スイッチ６の軸部６ｂに応じた径の挿通孔１８が貫設されるとともに、この挿通孔１８に切換スイッチ６の軸部６ｂが相対回動可能な状態で挿通されている。この軸部６ｂは、スイッチノブ６ａと同一軸心上に位置するとともに、操作パネル４の内部に位置した配置状態をとっている。
【００２８】
軸部６ｂの中間位置には、略円柱形状の切換ギア１９が軸部６ｂと一体回動可能に設けられている。この切換ギア１９は、その取り付け状態においてダイヤルギア１５と噛み合っており、切換スイッチ６の軸方向の長さがダイヤルギア１５のそれよりも長く形成されることにより、切換スイッチ６がスライド移動操作されても、その噛み合い状態が維持されるようになっている。軸部６ｂの先端には、切換スイッチ６の回動方向に沿って外周に等間隔で複数歯が並んだ略円板形状の連結ギア２０が一体回動可能に設けられている。なお、切換ギア１９が第２回動ギアに相当し、連結ギア２０が回動ギアに相当する。
【００２９】
ロアケース１１の側壁１１ａには、送風モード選択用の送風モード用プーリ２１と、送風温度調節用の温度用プーリ２２と、内外気選択用の内外気用プーリ２３とが設けられている。送風モード用プーリ２１は、薄型円筒形状を成すプーリケース２１ａと、そのプーリケース２１ａの内部に収容された円板形状の回動部材２１ｂとを有している。送風モード用プーリ２１は、プーリケース２１ａに形成された係止片（図示略）をロアケース１１の係止孔（図示略）に嵌め込むスナップフィット構造により、ロアケース１１に組み付けられている。
【００３０】
回動部材２１ｂは、プーリケース２１ａ内で回動可能であるとともに、その中央部には操作パネル４側に延びる係止部２１ｃが延設されている。この係止部２１ｃには、円板形状の送風モード用ギア２４が一体回動可能な状態で取り付けられている。この送風モード用ギア２４は、自身の中央部に形成された略扁平円形状の係止孔２４ａに係止部２１ｃを係止することで一体に組み付けられる。送風モード用ギア２４は、その外周において周方向に沿い等間隔に複数の歯を有するギアであって、切換スイッチ６が送風モード選択位置に位置した際、切換スイッチ６の先端に位置する連結ギア２０と選択的に噛み合った状態となる。
【００３１】
回動部材２１ｂの外周には、例えば金属線等から成るケーブル２５が回動部材２１ｂと一体回動可能な状態で張設されている。このケーブル２５は、各種エア経路上にある開閉ドア（開閉体：図示略）の開閉状態を切り換えることで車内へのエア送風状態を調節するエアコンユニット（図示略）に繋がっている。送風モード用ギア２４が回動して回動部材２１ｂが回ると、ケーブル２５もその回動に応じた向きに回り、これにより送風モード用の開閉ドアの開閉状態が切り換えられ、フェイス吹出口及びフット吹出口においてエアを送風する吹出口が切り換えられる。なお、温度用プーリ２２及び内外気用プーリ２３も送風モード用プーリ２１と同様の構造をとっていることから、これらの詳細については省略する。
【００３２】
図４に示すように、これらプーリ２１〜２３は、送風モード用プーリ２１の回動軸Ｌ１と、温度用プーリ２２の回動軸Ｌ２と、内外気用プーリ２３の回動軸Ｌ３とが各々異なる軸上に位置するように配置されている。このように、プーリ２１〜２３の回動軸Ｌ１〜Ｌ３を各々異なる軸上に配置すれば、一側面が開口した略箱形状のロアケース１１を用いたとしても、この形状のロアケース１１の側壁１１ａに、これらプーリ２１〜２３の取付位置を設けることが可能となる。また、切換スイッチ６の回動軸Ｌａと、プーリ２１〜２３の回動軸Ｌ１〜Ｌ３とは、異なる軸心上に配置されている。
【００３３】
図３に示すように、切換スイッチ６の軸部６ｂとアッパーケース１０の内面との間には、切換スイッチ６のスライド方向位置を各操作位置で保持する節度機構２６が設けられている。これを以下に説明すると、アッパーケース１０の内部には、軸部６ｂを囲むように支持筒２７が延設されている。この支持筒２７の内面には、軸部６ｂに対向する面が開口した収容部２８が形成されている。この収容部２８には、節度ピース２９が切換スイッチ６のスライド方向と直交する方向に相対移動可能な状態で収容されている。収容部２８の底面と節度ピース２９との間には、節度ピース２９を軸部６ｂ側に付勢するバネ部材３０が介装されている。
【００３４】
切換スイッチ６の軸部６ｂには、そのスライド方向に沿って複数の節度溝３１が形成されている。節度溝３１は、軸部６ｂの周方向に沿って環状に形成されるとともに、切換スイッチ６の３位置（送風モード選択位置、温度設定位置、内外気選択位置）に応じて、３つの節度溝３１ａ〜３１ｃが形成されている。節度ピース２９がバネ部材３０に付勢されて節度溝３１に係止した状態をとると、切換スイッチ６の位置状態が保持された状態となり、この状態から切換スイッチ６をスライド操作すると、節度ピース２９がバネ部材３０に抗して収容部２８に入り込む動きをとりつつ、節度溝３１の間にある山部を乗り越え、隣の節度溝３１に係止する動きをとる。なお、節度機構２６が保持手段に相当する。
【００３５】
図５に示すように、送風モード用プーリ２１の送風モード用ギア２４、温度用プーリ２２の温度用ギア３２、内外気用プーリ２３の内外気用ギア３３の各ギアには、その側面位置にＬＥＤ３４〜３６が各々設けられている。第１ＬＥＤ３４は、送風モード表示部７の各点灯部７ａを操作パネル４の裏面側から選択的に表示する光源であって、第２ＬＥＤ３５が設定温度表示部８の光源であり、第３ＬＥＤ３６が内外気表示部９の光源である。なお、ＬＥＤ３４〜３６が表示手段に相当する。
【００３６】
ダイヤル５が送風モード選択機能のダイヤルとして使用される場合、ダイヤル５が回動操作されて送風モード用ギア２４が連れ回りすると、その送風モード用ギア２４の回動に応じて第１ＬＥＤ３４の回動方向の位置が変わり、第１ＬＥＤ３４は、複数ある送風モードのうちダイヤル５によって選択された送風モードの点灯部７ａを点灯状態にする。なお、第２ＬＥＤ３５及び第３ＬＥＤ３６も第１ＬＥＤ３４と同様の機能を有する。これらＬＥＤ３４〜３６は、例えばエンジンスイッチ（図示略）がＡＣＣ位置又はＩＧ位置に操作されたときに点灯を開始する。なお、送風モード用ギア２４、温度用ギア３２及び内外気用ギア３３が従動ギアを構成する。
【００３７】
次に、本例の空調用操作装置３の動作を説明する。
まず、切換スイッチ６が送風モード選択位置に位置する場合、切換スイッチ６の先端にある連結ギア２０が送風モード用ギア２４に選択的に噛み合った状態となる。このとき、ケース１２内に設けられた節度ピース２９が、３つある節度溝３１ａ〜３１ｃのうち最も先端側にある節度溝３１ａに係止した状態をとり、切換スイッチ６がこの送風モード選択位置において回動可能な状態で保持される。これにより、ダイヤル５が送風モード選択用ダイヤルとして機能することになる。
【００３８】
そして、この状態でダイヤル５が回動操作されて送風モードの切り換え操作が行われると、その回転力がダイヤルギア１５から切換ギア１９に伝達され、切換スイッチ６がダイヤル５と連れ回りする。切換スイッチ６が回動運動すると、その回転力が連結ギア２０から送風モード用ギア２４に伝達され、送風モード用プーリ２１の回動部材２１ｂが回動する。これにより、送風モード用プーリ２１のケーブル２５が回動し、送風モード用の開閉ドアがフェイス吹出口やフット吹出口の通路開閉状態を切り換え、送風モードがダイヤル５の操作位置に応じたモードに切り換わる。
【００３９】
このとき、送風モード用ギア２４に取着された第１ＬＥＤ３４は、送風モード用ギア２４の回動位置に応じた配置位置に位置し、その時に選択された送風モード表示部７の点灯部７ａを裏面から照らし出した状態をとる。従って、送風モード表示部７においては、その時に選択された送風モードに箇所の点灯部７ａが点灯した状態となり、操作者に対して今現在選択されている送風モードを通知する。
【００４０】
また、エアの送風温度を調節したい場合、切換スイッチ６を送風モード選択位置から奥に１段階スライド移動し、この操作を行うと、切換スイッチ６の連結ギア２０が温度用ギア３２に選択的に噛み合った状態となる。このとき、ケース１２内に設けられた節度ピース２９が、３つある節度溝３１ａ〜３１ｃのうち中間に位置する節度溝３１ｂに係止した状態をとり、切換スイッチ６がこの温度調節位置において回動可能な状態で保持される。これにより、ダイヤル５が温度調整用ダイヤルとして機能することになる。
【００４１】
そして、この状態でダイヤル５が回動操作されて送風温度の温度調節操作が行われると、その回転力がダイヤルギア１５から切換ギア１９に伝達され、切換スイッチ６がダイヤル５と連れ回りする。切換スイッチ６が回動運動すると、その回転力が連結ギア２０から温度用ギア３２に伝達され、温度用プーリ２２の回動部材２２ｂが回動する。これにより、温度用プーリ２２のケーブル３７が回動し、蒸発器とヒータコアに繋がる経路上に位置した温度調節用の開閉ドアが、その時の設定温度に応じた開閉量に駆動される。よって、ヒータコアから送られる暖気と、蒸発器から送られる寒気との混合割合が調節され、ダイヤル５の操作位置に応じた温度値でエアが車内に送風される。
【００４２】
このとき、温度用ギア３２に取着された第２ＬＥＤ３５は、温度用ギア３２の回動位置に応じた配置位置に位置し、設定温度表示部８の表示バー８ａにおいて、その時に選択された送風温度に対応した箇所を裏面から照らし出した状態をとる。従って、設定温度表示部８では、表示バー８ａにおいてその時に温度指定された箇所が点灯した状態となり、操作者に対して今現在設定されている温度値を通知する。
【００４３】
また、内外気を切り換えたい場合、切換スイッチ６を温度調節位置から更に奥に１段階スライド移動し、この操作を行うと、切換スイッチ６の連結ギア２０が内外気用ギア３３に選択的に噛み合った状態となる。このとき、ケース１２内に設けられた節度ピース２９が、３つある節度溝３１ａ〜３１ｃのうち最も手前側にある節度溝３１ｃに係止した状態をとり、切換スイッチ６がこの内外気選択位置において回動可能な状態で保持される。これにより、ダイヤル５が内外気選択用ダイヤルとして機能することになる。
【００４４】
そして、この状態でダイヤル５が回動操作されて内外気の切り換え操作が行われると、その回転力がダイヤルギア１５から切換ギア１９に伝達され、切換スイッチ６がダイヤル５と連れ回りする。切換スイッチ６が回動運動すると、その回転力が連結ギア２０から内外気用ギア３３に伝達され、内外気用プーリ２３の回動部材２３ｂが回動する。これにより、内外気用プーリ２３のケーブル３８が回動し、内外気用の開閉ドアが内気導入口及び外気導入口の開閉状態を切り換え、内気導入口及び外気導入口においてダイヤル５で選択された導入口から取り込んだエアが車内に送風される。
【００４５】
このとき、内外気用ギア３３に取着された第３ＬＥＤ３６は、内外気用ギア３３の回動位置に応じた配置位置に位置し、その時に選択された内外気表示部９の点灯部９ａを裏面から照らし出した状態をとる。従って、内外気表示部９においては、その時に内気が選択されていれば内気側の点灯部が点灯し、或いはその時に外気が選択されていれば外気側の点灯部が点灯する。
【００４６】
以上により、本例においては、切換スイッチ６によりダイヤル５の操作モードを複数機能間で切り換え可能とすることによって、１つのダイヤル５で送風モード選択、温度調節及び内外気選択の３機能を選択操作可能としている。よって、本例のように、送風モード選択機能、温度調節機能及び内外気選択機能の３機能でダイヤル５を共用するようにすれば、空調機能ごとにダイヤルを設ける場合に比べ、空調用操作装置３に必要なダイヤルの個数を減らすことが可能となり、これに伴って装置サイズの小型化を図ることが可能となる。
【００４７】
また、各プーリ２１〜２３のギアとして外周に歯を有するギア２４，３２，３３を用い、これに切換スイッチ６の連結ギア２０をその外周で噛み合わせた取り付け状態をとっている。このように、切換スイッチ６の回動軸Ｌａと、各ギア２４，３２，３３の回動軸Ｌ１〜Ｌ３とが異なる軸心上に配置されていれば、例えば切換スイッチ６とギア２４，３２，３３が同軸上に位置する場合に比べ、ギア２４，３２，３３（プーリ２１〜２３も含む）の配置位置の自由度が高くなり、空調用操作装置３のデザイン自由度向上に効果が高い。つまり、切換スイッチ６の回動軸Ｌａと、ギア２４，３２，３３の回動軸Ｌ１〜Ｌ３が同軸上に位置していると、切換スイッチ６の位置によってギア２４，３２，３３の配置位置も一義的に決まってしまうことから、空調用操作装置３のデザインに制限が生じるが、本例においてはこの種の問題は生じないことになる。
【００４８】
従って、プーリ２１〜２３をケース１２に組み付ける際のその組付位置の自由度向上に寄与し、さらには空調用操作装置３を車体に取り付ける際に、空調用操作装置３の形状を取付先の形状に合わせることも可能となり、空調用操作装置３の車体への搭載性向上にも寄与する。さらに、切換スイッチ６の回動軸Ｌａと各ギア２４，３２，３３の回動軸Ｌ１〜Ｌ２とが異なる軸心上に配置されれば、各ギア２４，３２，３３のギア比を各々自由に設定することが可能となり、これに伴ってプーリ２１〜２３を回動させる際の制御の簡易化も可能となる。
【００４９】
本実施形態の構成によれば、以下に記載の効果を得ることができる。
（１）ダイヤル５と連れ回りする切換スイッチ６を設け、この切換スイッチ６に設けた連結ギア２０を各プーリ２１〜２３のギアに対して選択的に噛み合うようにした。従って、送風モード選択機能、温度調節機能及び内外気選択機能の３機能の間で１つのダイヤル５を共用するので、空調機能ごとにこの種のダイヤルを設ける場合に比べてダイヤルの個数が減ることになり、この部品点数削減に伴って空調用操作装置３の装置サイズを小型化することができる。また、切換スイッチ６の回動軸Ｌａと、各ギア２４，３２，３３の回動軸Ｌ１〜Ｌ３とが異なる軸心上に配置されているので、ギア２４，３２，３３（プーリ２１〜２３）の配置位置の自由度が高くなり、空調用操作装置３のデザイン自由度を向上することができる。
【００５０】
（２）本例においては、切換スイッチ６とは別に、各空調機能において各種選択操作や設定操作を行う際の操作部位としてダイヤル５を設けている。ここで、例えば切換スイッチ６自体をダイヤル５として用い、切換スイッチ６そのものを操作することにより、各空調機能においてエアの送風モード、温度調節、内外気切換を行うことも可能である。しかし、この場合においては、切換スイッチ６は各空調機能においてスライド方向で位置が変わることになり、切換スイッチ６をダイヤル５として用いた場合、各々の機能で操作位置が変わることから、複数の空調機能間における均一な操作感の確保に支障を来す。ところが、本例では切換スイッチ６とは別に操作系専用のダイヤル５を設けているので、この種の問題は生じない。
【００５１】
（３）切換スイッチ６の連結ギア２０の噛み合わせを切り換えるに際し、本例においては切換スイッチ６をスライド方向に移動させる構造を用いている。従って、切換スイッチ６をスライド移動させるという簡単な構造により、切換スイッチ６の連結ギア２０と、各プーリ２１〜２３のギアとの噛み合い状態を選択的に切り換えることができる。
【００５２】
（４）切換スイッチ６とケース１２との間に、各設定位置（送風モード選択位置、温度設定位置、内外気選択位置）に位置した切換スイッチ６をその位置状態で保持する節度機構２６を設けた。従って、各設定位置に切換スイッチ６が位置した際に、その位置状態からずれしてしまう状況を生じ難くすることができる。
【００５３】
（５）プーリ２１〜２３の各ギアにＬＥＤ３４〜３６を各々設け、これらＬＥＤ３４〜３６を光源に、操作パネル４の送風モード表示部７、設定温度表示部８及び内外気表示部９の各機能において各々のポジションを表示する。従って、送風モード選択、温度調節、内外気選択の各空調機能において、その時々のポジションを操作者に通知することができる。
【００５４】
（６）ギア２４，３２，３３（プーリ２１〜２３）は、これらギア２４，３２，３３の回動軸Ｌ１〜Ｌ３が各々異なる軸上に位置するように配置される。従って、これらプーリ２１〜２３をロアケース１１に取り付ける際のその取付部分をロアケース１１に設けるにあたって、ロアケース１１を複雑で込み入ったデザイン形状のものとする必要が生じ難くなり、ロアケース１１ひいてはケース１２を簡素な形状のものとすることができる。
【００５５】
（７）一般的にＬＥＤには指向性が高い特性があるので、本例のように各空調機能のポジション表示用の光源としてＬＥＤ３４〜３６を用いれば、操作パネル４の壁面と光源との距離が離れていても、各表示部７〜９の点灯部７ａ〜９ａを明確に点灯させることができる。
【００５６】
なお、本実施形態はこれまでに述べた構成に限らず、以下の態様に変更してもよい。
・  必ずしもダイヤル５と切換スイッチ６との両方を設ける必要はなく、例えばダイヤル５を省略し、切換スイッチ６で各空調機能の選択操作や設定操作を行ってもよい。
【００５７】
・  切換スイッチ６の連結ギア２０を各プーリ２１〜２３のギアに選択的に噛み合わせる際の切り換えは、切換スイッチ６をスライド移動する構造に限定されない。例えば、送風モード用ギア２４、温度用ギア３２及び内外気用ギア３３を同一平面上に並べ、ダイヤル５及び切換スイッチ６から成るユニットをその平面方向（上下左右方向）に移動させることで、切換スイッチ６の連結ギア２０の噛み合い状態を切り換えてもよい。
【００５８】
・  節度機構２６は、ケース１２側に節度ピース２９が設けられ、切換スイッチ６側に節度溝３１が設けられる構成に限定されず、これを逆にしてもよい。
・  空調用操作装置３で操作できる空調機能は、送風モード選択機能、温度調節機能、内外気切換機能に限定されず、これら以外の空調機能用の操作系を操作パネル４に設け、それをダイヤル５で操作可能としてもよい。
【００５９】
・  必ずしもギア２４，３２，３３（プーリ２１〜２３）は、各々の回動軸Ｌ１〜Ｌ３が異なる軸上に配置される構造に限定されない。例えば、これらギア２４，３２，３３のうちの少なくとも２つの回動軸が同軸上に配置されていればよい。
【００６０】
・  各空調機能においてその選択位置や設定位置を表示する表示部７〜９の光源は、実施形態で述べたＬＥＤ３４〜３６に限らず、光を照射できるものであれば特に限定されない。
【００６１】
・  保持手段は、ピースを溝に係止する節度機構２６に限らず、スライド移動後の切換スイッチ６をその位置状態で保持できるものであれば特に限定されない。
・  本例の空調用操作装置３の搭載対象は、必ずしも車両用空調装置１に限らず、例えば住宅のエアコンなどの空調系の機器や装置であれば、その搭載対象は特に限定されない。
【００６２】
次に、上記実施形態及び別例から把握できる技術的思想について、それらの効果とともに以下に追記する。
（１）請求項１〜６のいずれかにおいて、前記操作手段は、当該操作手段の位置を変更する際に手で摘む部位に、他の部分よりも大径となるように形成されている。この場合、操作手段の位置変更を行う際に、操作手段が手で摘み易くなるので、操作手段の位置変更操作が行い易くなる。
【図面の簡単な説明】
【００６３】
【図１】一実施形態における車内の外観を表す斜視図。
【図２】空調用操作装置の操作パネル部分を表す斜視図。
【図３】空調用操作装置の概略構成を示す縦断面図。
【図４】空調用操作装置の概略構成を示す一部拡大平断面図。
【図５】噛み合い状態となった各種ギアを表す平視図。
【符号の説明】
【００６４】
１…空調装置としての車両用空調装置、３…空調用操作装置、４…操作パネル、５…第２操作手段としてのダイヤル、５ａ…軸部、６…操作手段としての切換スイッチ、６ａ…軸部、７〜９…表示手段としての各表示部、１５…主動ギアとしてのダイヤルギア、１９…第２回動ギアとしての切換ギア、２０…回動ギアとしての連結ギア、２１〜３３…プーリ、２４…従動ギアを構成する送風モード用ギア、２６…保持手段としての節度機構、３２…従動ギアを構成する温度用ギア、３３…従動ギアを構成する内外気用ギア、Ｌａ、Ｌ１〜Ｌ３…回動軸。
【図１】
2008120208.tif 000003
【図２】
2008120208.tif 000004
【図３】
2008120208.tif 000005
【図４】
2008120208.tif 000006
【図５】
2008120208.tif 000007